(57)【要約】【課題】施療袋の取替えまたはメンテナンスが容易で、しかも人体被施療部に、挟持状或いは押広状又は捻り状の空圧施療を安価で適格に施すことができるようにしたマッサージ機における施療袋の取付け手段を提供する。【解決手段】座部２ａ及び背凭れ部３ａを有し、背凭れ部３ａに給排気制御手段７ａで膨縮する施療袋８ａを配設するマッサージ機１において、該マッサージ機１ａの施療袋８ａを背凭れ部３ａ前面側に配置させると共にその施療袋８ａを背凭れ部３ａ後面側で止着する手段であり、被施療者否当接側である背凭れ部３ａ裏面側の被覆カバー３６ａを取り外すだけで施療袋８ａの取替え又はメンテナンスが容易に行なえ、また、この手段による施療袋８ａの配置位置や形状を替える事で、挟持力或いは押広力又は捻力を有する種々様々な施療が行なえるよう構成したものである。【選択図】    図１０
2004344534.tif 000002
【特許請求の範囲】
【請求項１】
座部及び背凭れ部を有し、背凭れ部に給排気制御手段で膨縮する施療袋を配設するマッサージ機において、該マッサージ機の施療袋を背凭れ部前面側に配置させると共にその施療袋を背凭れ部後面側で止着するようにした事を特徴とするマッサージ機における施療袋の取付け手段。
【請求項２】
座部及び背凭れ部を有し、背凭れ部に昇降自在な施療子による揺動施療及び打撃施療或いは指圧施療を任意に施す事ができるようにした施療機構を設け、該施療機構以外の部位に給排気制御手段で膨縮する施療袋を配設するマッサージ機において、該マッサージ機の施療袋を背凭れ部前面側の施療機構以外に配置させると共にその施療袋を背凭れ部後面側で止着するようにした事を特徴とするマッサージ機における施療袋の取付け手段。
【請求項３】
座部及び背凭れ部を有し、座部に給排気制御手段で膨縮する施療袋を配設するマッサージ機において、該マッサージ機の施療袋を座部上面側に配置させると共にその施療袋を座部下面側で止着するようにした事を特徴とするマッサージ機における施療袋の取付け手段。
【請求項４】
座部及び背凭れ部を有し、背凭れ部に昇降自在な施療子による揺動施療及び打撃施療或いは指圧施療を任意に施す事ができるようにした施療機構を設け、座部に給排気制御手段で膨縮する施療袋を配設するマッサージ機において、該マッサージ機の施療袋を座部上面側に配置させると共にその施療袋を座部下面側で止着するようにした事を特徴とするマッサージ機における施療袋の取付け手段。
【請求項５】
座部と背凭れ部及び足載台を有し、足載台に給排気制御手段で膨縮する施療袋を配設するマッサージ機において、該マッサージ機の施療袋を足載台の披施療者当接側に配置させると共にその施療袋を足載台の披施療者否当接側で止着するようにした事を特徴とするマッサージ機における施療袋の取付け手段。
【請求項６】
座部と背凭れ部と足載台とを有し、背凭れ部に昇降自在な施療子による揺動施療及び打撃施療或いは指圧施療を任意に施す事ができるようにした施療機構を設け、足載台に給排気制御手段で膨縮する施療袋を配設するマッサージ機において、該マッサージ機の施療袋を足載台の披施療者当接側に配置させると共にその施療袋を足載台の披施療者否当接側で止着するようにした事を特徴とするマッサージ機における施療袋の取付け手段。
【請求項７】
前記背凭れ部及び座部或いは足載台に、前記施療袋を挿脱自在にし得る施療袋挿入溝や開口部を適位置に設けた板状部材を内装し、施療袋を披施療者当接側である板状部材の前面側に配置できると共に施療袋挿入溝や開口部を介して施療袋の基端部を披施療者否当接側である後面側に折曲配置させ、板状部材の後面側で施療袋の基端部を止着するようにした事を特徴とする請求項１乃至請求項６記載のマッサージ機における施療袋の取付け手段。
【請求項８】
前記施療袋が横長形状及び縦長形状である事を特徴とする請求項１乃至請求項７記載のマッサージ機における施療袋の取付け手段。
【請求項９】
前記施療袋が披施療者当接側に連続して配置されている事を特徴とする請求項１乃至請求項８記載のマッサージ機における施療袋の取付け手段。
【発明の詳細な説明】
【０００１】
【産業上の利用分野】
本発明は、マッサージ機本体に設けた施療袋を膨縮させて人体被施療部に空圧施療を施すことができるようにしたマッサージ機に係り、詳しくは、人体被施療部に挟持状の空圧施療を安価で効率よく施すことができるようにしたマッサージ機における施療袋の取付け手段に関するものである。
【０００２】
【従来の技術】
従来、この種のエアーマッサージ装置の施療袋には、図３０及び図３１に示したように、マッサージ機を構成する座部２と該座部２に対し傾斜角度調整自在に取り付けられた背凭れ部３と、座部２の左右両側に立設状に配備された肘掛部４とを備え、前記背凭れ部３の施療当接面の左右に、相反押圧施療袋５の複数が一定間隔を存して対を成すよう配設されたものがあり、前記座部２の下部には、空気を供給・排出して膨縮させるエアー給排気装置７を配設して、前記各相反押圧施療袋５・・を膨縮させるようにしたものがある。（特開２００２−１７８０３号公報）
【０００３】
前記各相反押圧施療袋５・５は、図３１に示したように否膨縮部である各々中心左右の外側部位を背凭れ部３の内部表面側からビス５１でベース体に止着し、その止着部は各相反押圧施療袋５・５の膨縮部と同面上であるよう構成している。
【特許文献】
特開２００２−１７８０３号公報（第２頁右欄、図１と図５）
【０００４】
【発明が解決しようとする課題】
ところで、上記のような構成のマッサージ機においては、施療袋の止着部が背凭れ部内部表面側からその一側を止着されており、例えば摩耗等により施療袋の取替えまたは施療袋のメンテナンス等を行なう場合には、背凭れ部外部裏面側から背凭れ部を構成している各構成部材を取り外して行なわなければならず、更に取替え後に背凭れ部の各構成部材を組み上げなければならず、マッサージ機の構造上、大変複雑な作業で多大な時間や労力を費やさねばならなかった。
【０００５】
また、揉み玉等を備えた移動型施療部を背凭れ部長さ方向に上下移動可能に設けた場合においても、施療袋の止着は、背凭れ部の中央部に設けられた揉み玉昇降用開口部の左右表面側から行なっており、上記の場合と同様に施療袋の取替えまたは施療袋のメンテナンス作業は、大変複雑な作業で多大な時間や労力を費やさねばならなかった。
【０００６】
更に、従来の背凭れ部の施療当接面の左右に、相反押圧施療袋の複数が一定間隔を存して対を成すよう配設したエアーマッサージ装置や、背凭れ部前面に昇降自在な揉み玉等の施療子を中央に設けた場合のエアーマッサージ装置は、何れの場合にも縦長形状や横長形状の施療袋を背凭れ部内部表面側から一側或いは両側を止着している。そのため、その施療袋の膨縮も前面稍傾斜方向或いは前面垂直方向への膨縮のみであり、一側で止着された前者の場合には稍傾斜状に膨縮する施療袋により多少の相反押圧施療が可能であるがその押圧力はやはり弱く、人体被施療部を挟持することはできず、また施療袋を両側で止着された通常の施療袋では、その一対の施療袋による挟持力は皆無であり人体被施療部を挟持する事はできなかった。
【０００７】
そこで、本発明は、上記問題点を解消する為に成されたものであり、施療袋の取替えまたはメンテナンスが容易で、しかも人体被施療部に、挟持状或いは押広状又は捻り状の空圧施療を安価で適格に施すことができるようにしたマッサージ機における施療袋の取付け手段を提供する事を目的としてなされたものである。
【０００８】
【課題を解決するための手段】
すなわち、本発明のマッサージ機における施療袋の取付け手段は、座部及び背凭れ部を有し、背凭れ部に給排気制御手段で膨縮する施療袋を配設するマッサージ機において、該マッサージ機の施療袋を背凭れ部前面側に配置させると共にその施療袋を背凭れ部後面側で止着するようにした事を特徴とするものである。
【０００９】
また本発明のマッサージ機における施療袋の取付け手段は、座部及び背凭れ部を有し、背凭れ部に昇降自在な施療子による揺動施療及び打撃施療或いは指圧施療を任意に施す事ができるようにした施療機構を設け、該施療機構以外の部位に給排気制御手段で膨縮する施療袋を配設するマッサージ機において、該マッサージ機の施療袋を背凭れ部前面側の施療機構以外に配置させると共にその施療袋を背凭れ部後面側で止着するようにした事を特徴とするものである。
【００１０】
更に本発明のマッサージ機における施療袋の取付け手段は、座部及び背凭れ部を有し、座部に給排気制御手段で膨縮する施療袋を配設するマッサージ機において、該マッサージ機の施療袋を座部上面側に配置させると共にその施療袋を座部下面側で止着するようにした事を特徴とするものである。
【００１１】
更にまた本発明のマッサージ機における施療袋の取付け手段は、座部及び背凭れ部を有し、背凭れ部に昇降自在な施療子による揺動施療及び打撃施療或いは指圧施療を任意に施す事ができるようにした施療機構を設け、座部に給排気制御手段で膨縮する施療袋を配設するマッサージ機において、該マッサージ機の施療袋を座部上面側に配置させると共にその施療袋を座部下面側で止着するようにした事を特徴とするものである。
【００１２】
更に本発明のマッサージ機における施療袋の取付け手段は、座部と背凭れ部及び足載台を有し、足載台に給排気制御手段で膨縮する施療袋を配設するマッサージ機において、該マッサージ機の施療袋を足載台の披施療者当接側に配置させると共にその施療袋を足載台の披施療者否当接側で止着するようにした事を特徴とするものである。
【００１３】
また本発明のマッサージ機における施療袋の取付け手段は、座部と背凭れ部と足載台とを有し、背凭れ部に昇降自在な施療子による揺動施療及び打撃施療或いは指圧施療を任意に施す事ができるようにした施療機構を設け、足載台に給排気制御手段で膨縮する施療袋を配設するマッサージ機において、該マッサージ機の施療袋を足載台の披施療者当接側に配置させると共にその施療袋を足載台の披施療者否当接側で止着するようにした事を特徴とするものである。
【００１４】
更に、本発明のマッサージ機における施療袋の取付け手段は、前記背凭れ部及び座部或いは足載台に、前記施療袋を挿脱自在にし得る施療袋挿入溝や開口部を適位置に設けた板状部材を内装し、施療袋を板状部材の前面側に配置できると共に施療袋挿入溝や開口部を介して施療袋の基端部を後面側に折曲配置させ、板状部材の後面側で施療袋の基端部を止着するようにした事を特徴とする（請求項１乃至６）ものである。
【００１５】
更にまた、本発明のマッサージ機における施療袋の取付け手段は、前記施療袋が横長形状及び縦長形状である事を特徴とする（請求項１乃至７）ものである。
【００１６】
更に本発明のマッサージ機における施療袋の取付け手段は、前記施療袋が披施療者当接側に連続して配置されている事を特徴とする（請求項１乃至８）ものである。
【００１７】
本発明のマッサージ機は、上記のように構成することにより次のような作用をもたらす。
すなわち、本発明のマッサージ機における施療袋の取付け手段は、各種のマッサージ機における座部や背凭れ部或いは足載台に適宜設けられる施療袋を、被施療者側に膨縮部が配置されて施療袋の基端部を披施療者否当接側に折曲させて止着するようにした手段であるので、通常の施療袋の取替えやメンテナンスを行う場合に、各構成部材を取り外して行なうという最も面倒なマッサージ機の構造上の分解作業を必要とせず、座部や背凭れ部、或いは足載台の必要とする部位の施療袋の交換作業を披施療者否当接側のみの開放により容易に行なわせる事ができる。
【００１８】
また、本発明のマッサージ機における施療袋の取付け手段は、各種のマッサージ機における座部や背凭れ部或いは足載台に適宜設けられる施療袋が、被施療者側に膨縮部が配置されて、施療袋の基端部が披施療者否当接側に折曲させて止着されるようにしているため、施療袋を膨縮させた場合に、その折曲部を起点として膨縮部が起き上がるように起立させる事ができ、施療袋が対向状に配置され、その基端部が共に内側に配置されている場合には、被施療者の被施療部位を一対の施療袋間で挟持状に施療保持させる事ができる。
【００１９】
更に、本発明のマッサージ機における施療袋の取付け手段は、上記のように配置及び止着するようにしているため、施療袋が対向状に配置され、その基端部が共に外側に配置されている場合には、被施療者の被施療部位を一対の施療袋間で押し広げるような施療を行なわせる事ができる。
【００２０】
更にまた、本発明のマッサージ機における施療袋の取付け手段は、上記のように配置及び止着するようにしているため、施療袋が可逆状に配置され、その基端部が内側と外側に可逆配置されている場合には、被施療者の被施療部位を一対の施療袋間で捻るような施療を行なわせる事ができる。
【００２１】
更に、本発明のマッサージ機における施療袋の取付け手段は、各種のマッサージ機における座部や背凭れ部或いは足載台に、施療袋を挿脱自在にし得る施療袋挿入溝を適位置に設けた板状部材を内装し、該板状部材の被施療者側に施療袋の膨縮部が配置され、施療袋の基端部を披施療者否当接側に折曲させて止着するようにしているため、通常の組立時においては、予め施療袋を板状部材に止着しておいた状態の板状部材を座部や背凭れ部或いは足載台の任意の各部位に嵌入させるだけで良いために組立作業が容易に行なえる。
【００２２】
また、上記板状部材が、各種のマッサージ機における座部や背凭れ部或いは足載台に内装されている場合であって、施療袋の取替えやメンテナンスを行う場合には、必要とする部位の披施療者否当接側を開放して、板状部材の披施療者否当接側にある止着を解除させ、施療袋挿入溝により施療袋を取り出し、新しい施療袋を取替えして同様に止着する事で交換作業を容易に行える。尚、予め施療袋を板状部材に止着しておいた状態の着脱自在な板状部材を使用する場合には、必要とする部位の披施療者否当接側を開放して、その止着済み板状部材を交換するだけで容易に交換作業を完了させることができる。
【００２３】
更に、本発明のマッサージ機における施療袋の取付け手段は、各種のマッサージ機における座部や背凭れ部或いは足載台に止着される施療袋を、横長形状及び縦長形状のものを使用しているため、横長形状の施療袋を配置させた場合には、その配置方向により一対の施療袋間で強度な挟持力による施療や強度な押広力及び強度な捻力による施療が行なえる。
【００２４】
また、縦長形状の施療袋を配置させた場合には、その配置方向により一対の施療袋間で軽度な挟持力による施療や軽度な押広力及び軽度な捻力による施療が行なえる。
【００２５】
更に、前記施療袋を横長形状のものと縦長形状のものの双方を交互或いは任意に配置し、またその止着を内外異なる配置方向で止着した場合には、各配置場所での一対の施療袋間で異なる強度での挟持力による施療や押広力による施療及び捻力による施療が行なえる。尚、これらの施療袋を膨縮させる給排気制御手段にマイコン等で制御できる制御機構が設けられている場合には、その施療種類は更に拡大される。
【００２６】
更にまた、本発明のマッサージ機における施療袋の取付け手段が、前記施療袋が披施療者当接側に連続して配置されている場合には、連続的な一対の施療袋間で、上記した各種の挟持力による施療や押広力による施療及び捻力による施療が順次行なえる。
【００２７】
特に、前記背凭れ部に昇降自在な施療子による揺動施療及び打撃施療或いは指圧施療を任意に施す事ができるようにした施療機構を設けたマッサージ機に、前記施療袋が披施療者当接側に連続するよう配置した場合には、その施療機構による施療と施療袋による施療の相乗作用が期待できる。
【００２８】
すなわち、その施療袋の止着位置が対向状且つ内側である場合には、被施療者を挟持してその挟持力による施療と被施療者を挟持状に保持させた状態での施療機構による施療が行なえ、また、逆にその施療袋の止着位置が対向状且つ外側である場合には、被施療者を押広してその押広力による施療と被施療者を押広させた状態での施療機構による施療が行なえる。
【００２９】
【発明の実施の形態】
以下に、本発明のマッサージ機における施療袋の取付け手段を、図面に示す一実施形態に基づきこれを詳細に説明する。
図１乃至図２９は、本発明のマッサージ機における施療袋の取付け手段を採用したマッサージ機及び施療袋の一実施形態を示すものであり、図１は本発明を採用したマッサージ機の一実施形態を示す斜視図であり、図２は本発明を採用したマッサージ機の一実施形態を示す使用状態図であり、図３は本発明を採用したマッサージ機の一実施形態示す説明図であり、図４乃至図６は本発明のマッサージ機における施療袋の取付け手段の一実施形態示す説明図であり、図７乃至図１０は本発明を背凭れ部に採用したマッサージ機の一実施形態を示す説明図であり、図１１及び図１２は本発明を座部に採用したマッサージ機の一実施形態を示す説明図であり、図１３乃至図１８は本発明を足載台に採用したマッサージ機の一実施形態を示す説明図であり、図１９は本発明を座部の太腿位置に採用したマッサージ機の一実施形態を示す説明図であり、図２０は本発明を座部の尻部後部位置に採用したマッサージ機の一実施形態を示す説明図であり、図２１乃至図２９は、本発明を採用した場合の施療袋の形状や配置及び止着位置の一実施形態を示す説明図である。また、図３０及び図３１は従来のマッサージ機における施療袋の取付け手段を示す説明図である。
【００３０】
本発明を採用するマッサージ機１ａは、図２の実施形態で示したように、被施療者が着座状態でマッサージ施療を受ける事ができるものであり、被施療者が着座して尻部や太腿の接触部となる座部２ａと、被施療者の首部や肩部及び腰部の接触部となる背凭れ部３ａを有し、該背凭れ部３ａは座部２ａに対し傾斜角度調整自在に取り付けられている。
【００３１】
更に、前記座部２ａの前端部には前方へ出没自在とした足載台４ａが適宜に設けられる（図２では、足載台４ａを設けたものを示している。）ものであり、座部２ａの左右両側部には肘掛け部５ａを設けたものとしている。
【００３２】
座部２ａに対する背凭れ部３ａの取り付け手段としては、例えば、図３に示す如く、背凭れ部３ａの下方へ突設した背凭れ部３ａの下部フレーム３１ａを、座部２ａの後ろ側の枢軸３２ａまわりに前後揺動自在に備え付けると共に、前記背凭れ部３ａの下部フレーム３１ａの枢軸３２ａより下方の端部に油圧操作シリンダや電動アクチュエータ等の傾倒調整部材６ａを枢支連結して構成しており、該傾倒調整部材６ａを作動させると、背凭れ部３ａを枢軸３２ａまわりに任意の傾斜角度に変えることができるようにしている。
【００３３】
図１及び図７・図８の実施形態では、前記背凭れ部３ａ内部に、この中央に開口部３３１ａを有する門状の板状部材３３ａを内装したものを示しており、該背凭れ部３ａ内には、施療子３５２ａによる揺動施療及び打撃施療或いは指圧施療を任意に施す事ができるようにした施療機構３５ａが設けられ、該施療機構３５ａの施療子３５２ａが板状部材３３ａの開口部３３１ａで昇降自在にして稼動し得るようにしたものを例示している。
【００３４】
前記背凭れ部３ａには、必要に応じて内装された板状部材３３ａの開口部３３１ａ以外の披施療者当接側に、給排気制御手段７ａにより反復膨縮する複数の施療袋８ａが適宜に配置される。
【００３５】
図７及び図９の実施形態は、前記背凭れ部３ａ内部に、施療袋８ａを挿脱自在にし得る施療袋挿入溝３３３や開口部３３１ａを設けた板状部材３３ａが内装されており、披施療者当接側の該板状部材３３ａに給排気制御手段７ａにより反復膨縮する複数の施療袋８ａが配置されるものを例示している。
【００３６】
ところで、前記座部２ａには、前記と同様に必要に応じて板状部材３３ａが内装され、披施療者当接側に給排気制御手段７ａにより反復膨縮する複数の施療袋８ａが適宜に配置される。
【００３７】
前記足載台４ａにも、前記と同様に必要に応じて板状部材３３ａが内装され、披施療者当接側に給排気制御手段７ａにより反復膨縮する複数の施療袋８ａが適宜に配置される。
【００３８】
また、前記背凭れ部３ａ内部に配設される施療機構３５ａは、定位置で施療子３５２ａによる揺動施療及び打撃施療或いは指圧施療の適宜の施療を選択設定して、任意に施す事ができるものであるが、施療機構３５ａは、モーター等の駆動手段を備えているため、左右一対のガイドレール３４ａ・３４ａに沿って前記施療子３５２ａを有する施療機３５１ａを、板状部材３３ａの開口部３３１ａで昇降自在であり、これにより、施療子３５２ａによる被施療者に対する上下連続揺動施療及び上下連続打撃施療或いは上下連続指圧施療を任意に施す事ができる。尚、上記施療機構３５ａに制御機構を設けていることで、複数の施療を自動的或いは位置指定可能に施すことができる。
【００３９】
前記給排気制御手段７ａは、給排気ホース７１ａを介して各施療袋８ａに連通されてこれら各施療袋８ａに圧縮空気を供給、排出する為のものであり、該給排気制御手段７ａは、図示していないが、例えば座部２ａの下方や設置板近郊空間部に既存のエアーコンプレッサー或いはエアーポンプ等の空気供給源を設けて、空気供給源からの圧縮空気を分配器及び給排気ホース７１ａを介して各施療袋８ａに圧縮空気を供給、排出するようにしている。
【００４０】
尚、上記施療機構３５ａを稼動させるスイッチや電源スイッチ及び施療選択スイッチは、図示していないが、これらの機能を設けた有線及び無線の操作盤を肘掛部５ａや座部２ａ及びその近郊等に設けられており、該操作盤の施療選択スイッチを任意に操作する事で、被施療者が望む施療部位を任意に選択して適宜の施療を行わせる事ができる。
【００４１】
而して、本発明のマッサージ機における施療袋の取付け手段は、上記のように構成されたマッサージ機１ａにも採用されるものであり、請求項１の本発明は、座部２ａ及び背凭れ部３ａを有し、背凭れ部３ａに給排気制御手段７ａで膨縮する施療袋８ａを配設するマッサージ機１において、該マッサージ機１ａの施療袋８ａを背凭れ部３ａ前面側に配置させると共にその施療袋８ａを背凭れ部３ａ後面側で止着する構成ものである。
【００４２】
また請求項２の本発明は、座部２ａ及び背凭れ部３ａを有し、背凭れ部３ａに昇降自在な施療子３５２ａによる揺動施療及び打撃施療或いは指圧施療を任意に施す事ができるようにした施療機構３５ａを設け、該施療機構３５ａ以外の部位に給排気制御手段７ａで膨縮する施療袋８ａを配設する上記したようなマッサージ機１ａにおいて、該マッサージ機１ａの施療袋８ａを背凭れ部３ａ前面側の施療機構３５ａ以外に配置させると共にその施療袋８ａを背凭れ部３ａ後面側で止着する構成のものである。
【００４３】
更に請求項３の本発明は、座部２ａ及び背凭れ部３ａを有し、座部２ａに給排気制御手段７ａで膨縮する施療袋８ａを配設する上記したようなマッサージ機１ａにおいて、該マッサージ機１ａの施療袋８ａを座部２ａ上面側に配置させると共にその施療袋８ａを座部２ａ下面側で止着する構成のものである。
【００４４】
更にまた請求項４の本発明は、座部２ａ及び背凭れ部３ａを有し、背凭れ部３ａに昇降自在な施療子３５２ａによる揺動施療及び打撃施療或いは指圧施療を任意に施す事ができるようにした施療機構３５ａを設け、座部２ａに給排気制御手段７ａで膨縮する施療袋８ａを配設する上記したようなマッサージ機１ａにおいて、該マッサージ機１ａの施療袋８ａを座部２ａ上面側に配置させると共にその施療袋８ａを座部２ａ下面側で止着する構成のものである。
【００４５】
更に請求項５の本発明は、座部２ａと背凭れ部３ａ及び足載台４ａを有し、足載台４ａに給排気制御手段７ａで膨縮する施療袋８ａを配設する上記したようなマッサージ機１ａにおいて、該マッサージ機１ａの施療袋８ａを足載台４ａの披施療者当接側に配置させると共にその施療袋８ａを足載台４ａの披施療者否当接側で止着する構成のものである。
【００４６】
また請求項６の本発明は、座部２ａと背凭れ部３ａと足載台４ａとを有し、背凭れ部３ａに昇降自在な施療子３５２ａによる揺動施療及び打撃施療或いは指圧施療を任意に施す事ができるようにした施療機構３５ａを設け、足載台４ａに給排気制御手段７ａで膨縮する施療袋８ａを配設する上記したようなマッサージ機１ａにおいて、該マッサージ機１ａの施療袋８ａを足載台４ａの披施療者当接側に配置させると共にその施療袋８ａを足載台４ａの披施療者否当接側で止着する構成のものである。
【００４７】
更に、請求項７の本発明は、前記背凭れ部３ａ及び座部２ａ或いは足載台４ａに、前記施療袋８ａを挿脱自在にし得る施療袋挿入溝３３３や開口部を３３１ａを設けた板状部材３３ａを内装し、施療袋８ａを板状部材３３ａの前面側に配置できると共に施療袋挿入溝３３３を介して施療袋８ａの基端部８２ａを板状部材３３ａの後面側に折曲配置させ、板状部材３３ａの後面側で施療袋８ａの基端部８２ａを止着する構成のものである。
【００４８】
更にまた、請求項８の本発明は、前記施療袋８ａが横長形状及び縦長形状である構成にしたものである。
【００４９】
更に請求項９の本発明は、前記施療袋８ａが披施療者当接側に連続して配置されている構成のものである。
【００５０】
前記施療袋８ａは、その目的により縦長形状や横長形状に形成されるもので有り、例えば、強度な挟持力や押広力及び捻力を付与し得る横長形状の施療袋８ａとしては、図４及び図５に示すように、前記給排気制御手段７ａから前記給排気ホース７１ａを介してこれに給排させる圧縮空気により反復膨縮する膨縮部８１ａ（表面に突起を設けた膨縮部８１ａを含む。）を施療袋８ａの中央付近から至端側にかけて設けると共に、該施療袋８ａの基端側にこれを止着させるための基端部８２ａを設け、該基端部８２ａに、施療袋８ａを前記板状部材３３ａの後面側や、背凭れ部３ａ後面側及び座部２ａ下面側或いは足載台４ａ披施療者否当接側で止着するための止着穴８５ａを設けた構成のものが採用される。
【００５１】
尚、図示していないが、軽度な挟持力や押広力及び捻力を付与し得る縦長形状の施療袋８ａについても、上記した横長形状の施療袋８ａと同様な構成が採用される。
【００５２】
前記施療袋８ａの膨縮部８１ａ下面には、膨縮部８１ａに圧縮空気を給排させるための連結管８４ａが連通状に設けられており、該連結管８４ａと前記給排気ホース７１ａとを連結部材８６ａで連結して、前記給排気制御手段７ａから供給される圧縮空気が前記給排気ホース７１ａ及び連結管８４ａを介してその膨縮部８１ａに送り込まれるようにしている。
【００５３】
尚、前記施療袋８ａは内外二層で構成され、内層の材料には空気漏れ防止に有効なポリウレタンを用いており、外層の材料には膨らみ過ぎ防止に有効な６−ナイロンを用いているが、これらの材料に限定されるものではない。
【００５４】
上記したような施療袋８ａの背凭れ部３ａへの取付けは、図１及び図７乃至図１０に示したように、該施療袋８ａの至部側である膨縮部８１ａが背凭れ部３ａ前面側の披施療者当接側に位置するよう配置させて、その基端部８２ａを裏面側に折曲し、背凭れ部３ａ後面側の披施療者否当接側に位置する基端部８２ａの止着穴８５ａでビス８３ａ等を利用して該施療袋８ａを止着させて取付けする。
【００５５】
また、施療袋８ａの座部２ａへの取付けは、図１１・図１２及び図１９・図２０に示したように、該施療袋８ａの至部側である膨縮部８１ａが座部２ａ上面側の披施療者当接側に位置するよう配置させて、該基端部８２ａを裏面側に折曲し、座部２ａの披施療者否当接側に位置する基端部８２ａの止着穴８５ａでビス８３ａ等を利用して該施療袋８ａを止着させて取付けする。
【００５６】
更に、施療袋８ａの足載台４ａへの取付けは、図１３乃至図１９に示したように、該施療袋８ａの至部側である膨縮部８１ａが足載台４ａの披施療者当接側に位置するよう配置させて、その基端部８２ａを裏面側に折曲し、足載台４ａの披施療者否当接側に位置する基端部８２ａの止着穴８５ａでビス８３ａ等を利用して該施療袋８ａを止着させて取付けする。
【００５７】
また、開口部３３１ａを設けた板状部材３３ａを内装した背凭れ部３ａに対する上記したような施療袋８ａの取付けは、図１及び図７・図８に示したように、該施療袋８ａの至部側である膨縮部８１ａが背凭れ部３ａ前面側の披施療者当接側に位置するよう板状部材３３ａの前面側に配置させて、その施療袋８ａの基端部８２ａを板状部材３３ａの開口部３３１ａ縁を介して後面側に折曲配置させ、背凭れ部３ａの披施療者否当接側になる板状部材３３ａの後面側で施療袋２ａの基端部８２ａの止着穴８５ａでビス８３ａ等を利用して該施療袋８ａを止着させて取付けする。
【００５８】
更に、施療袋挿入溝３３３を設けた板状部材３３ａを内装した背凭れ部３ａに対する上記したような施療袋８ａの取付けは、図７及び図９に示したように、該施療袋８ａの至部側である膨縮部８１ａが背凭れ部３ａ前面側の披施療者当接側に位置するよう板状部材３３ａの前面側に配置させて、その施療袋８ａの基端部８２ａを板状部材３３ａの施療袋挿入溝３３３（施療袋挿入溝３３３ａ及び施療袋挿入溝３３３ｂ）縁を介して後面側に折曲配置させ、背凭れ部３ａの披施療者否当接側になる板状部材３３ａの後面側で施療袋２ａの基端部８２ａの止着穴８５ａでビス８３ａ等を利用して該施療袋８ａを止着させて取付けする。
【００５９】
尚、上記板状部材３３ａは、背凭れ部３ａ内部で着脱自在にする事もでき、これにより、板状部材３３ａを交換する事で、各種様々の状態に施療袋８ａを配置したものに交換する事ができ、しかも施療袋８ａの劣化等によるメンテナンス作業も容易になる。
【００６０】
尚、前記板状部材３３ａの開口部３３１ａや施療袋挿入溝３３３は、適宜の位置に設けられるものであり、この板状部材３３ａの使用は、上記した背凭れ部３ａに限らず、座部２ａや足載台４ａにも適用される。
【００６１】
前記施療袋８ａの止着は、上記した実施形態では、ビス８３ａ等を利用した例を示したが、止着する手段であれば、溶着や貼着の他どのような方法であっても良い。
【００６２】
更に、前記施療袋８ａは、使用する施療袋８ａの形状や配置及び止着位置により種々様々な作用や効果を有するものであり、図２１乃至図２９にその一実施形態を例示した。
【００６３】
図２１は、横長形状の施療袋８ａを各々止着位置が対向状且つ内側になるよう配置させた場合を示したものであり、このように配置する事で、被施療者に強度な挟持力による施療（施療機構３５ａが設けられている場合には被施療者を挟持状に保持させた状態での施療機構３５ａによる施療との複合施療）が行なえる。
【００６４】
図２２は、横長形状の施療袋８ａを各々止着位置が対向状且つ外側になるよう配置させた場合を示したものであり、このように配置する事で、被施療者に強度な押広力による施療（施療機構３５ａが設けられている場合には被施療者を押広させた状態での施療機構３５ａによる施療との複合施療）が行なえる。
【００６５】
図２３は、横長形状の施療袋８ａを各々止着位置が対向状でしかも外側及び内側の交互に配置させた場合を示したものであり、このように配置する事で、被施療者に強度な捻力による施療（施療機構３５ａが設けられている場合には被施療者を捻状にさせた状態での施療機構３５ａによる施療との複合施療）が行なえる。
【００６６】
図２４は、縦長形状の施療袋８ａを各々止着位置が対向状且つ内側になるよう配置させた場合を示したものであり、このように配置する事で、被施療者に軽度な挟持力による施療（施療機構３５ａが設けられている場合には被施療者を挟持状に保持させた状態での施療機構３５ａによる施療との複合施療）が行なえる。
【００６７】
図２５は、縦長形状の施療袋８ａを各々止着位置が対向状且つ外側になるよう配置させた場合を示したものであり、このように配置する事で、被施療者に軽度な押広力による施療（施療機構３５ａが設けられている場合には被施療者を押広させた状態での施療機構３５ａによる施療との複合施療）が行なえる。
【００６８】
図２６は、縦長形状の施療袋８ａを各々止着位置が対向状でしかも外側及び内側の交互に配置させた場合を示したものであり、このように配置する事で、被施療者に軽度な捻力による施療（施療機構３５ａが設けられている場合には被施療者を捻状にさせた状態での施療機構３５ａによる施療との複合施療）が行なえる。
【００６９】
図２７は、横長形状の施療袋８ａと縦長形状の施療袋８ａとを各々止着位置が対向状且つ内側になるよう配置させた場合を示したものであり、このように配置する事で、被施療者に強度な挟持力と軽度な挟持力による施療（施療機構３５ａが設けられている場合には被施療者を挟持状に保持させた状態での施療機構３５ａによる施療との複合施療）が行なえる。
【００７０】
図２８は、横長形状の施療袋８ａと縦長形状の施療袋８ａとを各々止着位置が対向状且つ外側になるよう配置させた場合を示したものであり、このように配置する事で、被施療者に強度な押広力と軽度な押広力による施療（施療機構３５ａが設けられている場合には被施療者を押広させた状態での施療機構３５ａによる施療との複合施療）が行なえる。
【００７１】
図２８は、横長形状の施療袋８ａと縦長形状の施療袋８ａとを各々止着位置が対向状でしかも外側及び内側の交互に配置させた場合を示したものであり、このように配置する事で、被施療者に強度な捻力と軽度な捻力による施療（施療機構３５ａが設けられている場合には被施療者を捻状にさせた状態での施療機構３５ａによる施療との複合施療）が行なえる。
【００７２】
尚、上記した実施形態では、施療袋８ａを平行状に列設させたものを例示したが、その他にも、例えば図１９に示したように、座部２ａ左右の太腿位置に、横長形状或いは縦長形状の施療袋８ａを各々止着位置が対向状且つ内側になるよう配置させた一対の施療袋８ａ・８ａを対になるよう配置させる事で、被施療者の太腿位置に強度な挟持力或いは軽度な挟持力による施療が行なえる。
【００７３】
また、逆に前記各施療袋８ａを各々止着位置が対向状且つ外側になるよう配置させた場合には、被施療者の太腿位置に強度な押広力或いは軽度な押広力による施療が行なえる事は言及するまでもない。
【００７４】
更に、図２０に示したように、座部２ａ左右の太腿位置に横長形状或いは縦長形状の施療袋８ａを尻部後方左右に斜状に配置して施療袋８ａが尻部左右から押圧するよう起立するよう配置させる事で、被施療者の尻部左右に強度な押圧力或いは軽度な押圧力による施療が行なえる。尚、これにおいても、逆方向に止着すれば、その作用も異なる作用をもたらす事は言うまでもない。
【００７５】
更にまた、本発明のマッサージ機における施療袋の取付け手段により取付けられた施療袋８ａは、被施療者否当接側である背凭れ部３ａ後面側及び座部２ａ下面側或いは足載台４ａ被施療者否当接側で止着して、各施療部位に配置できるように構成しているため、図７乃至図１０に示したように、被施療者否当接側である背凭れ部３ａ裏面側の被覆カバー３６ａや座部２ａ裏面側の被覆カバー或いは足載台４ａ裏面側の被覆カバーを取り外すだけで容易に止着位置が現れ、その止着位置のビス８３ａを外すだけで、容易に施療袋８ａの取り外しが行なえ、また、逆の作業を行なうだけで容易に施療袋８ａの交換作業をも行なえるため、施療袋８ａのメンテナンス作業が容易に行なえるのである。
【００７６】
更に、本発明を採用した施療袋８ａは、止着位置が被施療者否当接側に設けられるため、被施療者当接側に位置する膨縮部８１ａの占める面積を拡大させて施療袋８の膨縮効果を増大させることができるのである。
【００７７】
【発明の効果】
よって、本発明のマッサージ機における施療袋の取付け手段は、従来の施療袋の止着部が背凭れ部内部表面側から両側を止着する手段やその一側を止着する手段とは異なり、被施療者否当接側である背凭れ部後面側及び座部下面側或いは足載台被施療者否当接側で止着して、被施療者当接側の各施療部位に施療袋が配置できるように構成しているため、従来のように、摩耗等により施療袋の取替え又は施療袋のメンテナンス等を行なう場合にも、被施療者否当接側の各部裏面側の被覆カバーを取り外すだけで容易に行なえ、その作業時間を大幅に短縮する事ができる。
【００７８】
また、本発明のマッサージ機における施療袋の取付け手段を採用すれば、被施療者に対する施療袋による挟持力や押広力或いは捻力を有する施療が行え、しかもその強度も施療袋の形状選択のみで可変でき、更に、施療袋の配置位置を適宜に設定する事で、種々様々な作用行かを有する施療を行なわせる事ができる。
【図面の簡単な説明】
【図１】本発明を採用したマッサージ機の一実施形態を示す斜視図である。
【図２】本発明を採用したマッサージ機の一実施形態を示す使用状態図である。
【図３】本発明を採用したマッサージ機の一実施形態示す説明図である。
【図４】本発明のマッサージ機における施療袋の取付け手段の一実施形態示す説明図である。
【図５】本発明のマッサージ機における施療袋の取付け手段の一実施形態示す説明図である。
【図６】本発明のマッサージ機における施療袋の取付け手段の一実施形態示す説明図である。
【図７】本発明を背凭れ部に採用したマッサージ機の一実施形態を示す説明図である。
【図８】本発明を背凭れ部に採用したマッサージ機の一実施形態を示す説明図である。
【図９】本発明を背凭れ部に採用したマッサージ機の一実施形態を示す説明図である。
【図１０】本発明を背凭れ部に採用したマッサージ機の一実施形態を示す説明図である。
【図１１】本発明を座部に採用したマッサージ機の一実施形態を示す説明図である。
【図１２】本発明を座部に採用したマッサージ機の一実施形態を示す説明図である。
【図１３】本発明を足載台に採用したマッサージ機の一実施形態を示す説明図である。
【図１４】本発明を足載台に採用したマッサージ機の一実施形態を示す説明図である。
【図１５】本発明を足載台に採用したマッサージ機の一実施形態を示す説明図である。
【図１６】本発明を足載台に採用したマッサージ機の一実施形態を示す説明図である。
【図１７】本発明を足載台に採用したマッサージ機の一実施形態を示す説明図である。
【図１８】本発明を足載台に採用したマッサージ機の一実施形態を示す説明図である。
【図１９】本発明を座部の太腿位置に採用したマッサージ機の一実施形態を示す説明図である。
【図２０】本発明を座部の尻部後部位置に採用したマッサージ機の一実施形態を示す説明図である。
【図２１】本発明を採用した場合の施療袋の形状や配置及び止着位置の一実施形態を示す説明図である。
【図２２】本発明を採用した場合の施療袋の形状や配置及び止着位置の一実施形態を示す説明図である。
【図２３】本発明を採用した場合の施療袋の形状や配置及び止着位置の一実施形態を示す説明図である。
【図２４】本発明を採用した場合の施療袋の形状や配置及び止着位置の一実施形態を示す説明図である。
【図２５】本発明を採用した場合の施療袋の形状や配置及び止着位置の一実施形態を示す説明図である。
【図２６】本発明を採用した場合の施療袋の形状や配置及び止着位置の一実施形態を示す説明図である。
【図２７】本発明を採用した場合の施療袋の形状や配置及び止着位置の一実施形態を示す説明図である。
【図２８】本発明を採用した場合の施療袋の形状や配置及び止着位置の一実施形態を示す説明図である。
【図２９】本発明を採用した場合の施療袋の形状や配置及び止着位置の一実施形態を示す説明図である。
【図３０】従来のマッサージ機における施療袋の取付け手段を示す説明図である。
【図３１】従来のマッサージ機における施療袋の取付け手段を示す説明図である。
【符号の説明】
１ａ    マッサージ機
２ａ    座部
３ａ    背凭れ部
３３ａ    板状部材
３３１ａ    開口部
３３３      施療袋挿入溝
３３３ａ    施療袋挿入溝
３３３ｂ    施療袋挿入溝
３５ａ    施療機構
３５２ａ    施療子
４ａ    足載台
７ａ    給排気制御手段
８ａ    施療袋
８２ａ    基端部
【図１】
2004344534.tif 000003
【図２】
2004344534.tif 000004
【図３】
2004344534.tif 000005
【図４】
2004344534.tif 000006
【図５】
2004344534.tif 000007
【図６】
2004344534.tif 000008
【図７】
2004344534.tif 000009
【図８】
2004344534.tif 000010
【図９】
2004344534.tif 000011
【図１０】
2004344534.tif 000012
【図１１】
2004344534.tif 000013
【図１２】
2004344534.tif 000014
【図１３】
2004344534.tif 000015
【図１４】
2004344534.tif 000016
【図１５】
2004344534.tif 000017
【図１６】
2004344534.tif 000018
【図１７】
2004344534.tif 000019
【図１８】
2004344534.tif 000020
【図１９】
2004344534.tif 000021
【図２０】
2004344534.tif 000022
【図２１】
2004344534.tif 000023
【図２２】
2004344534.tif 000024
【図２３】
2004344534.tif 000025
【図２４】
2004344534.tif 000026
【図２５】
2004344534.tif 000027
【図２６】
2004344534.tif 000028
【図２７】
2004344534.tif 000029
【図２８】
2004344534.tif 000030
【図２９】
2004344534.tif 000031
【図３０】
2004344534.tif 000032
【図３１】
2004344534.tif 000033
【手続補正書】
【提出日】平成15年6月16日(2003.6.16)
【手続補正１】
【補正対象書類名】図面
【補正対象項目名】図２０
【補正方法】変更
【補正の内容】
【図２０】
2004344534.tif 000034